(57)【要約】【課題】複数の移動局装置から通信要求が競合して発生した場合に、受信品質だけでなくさらに多様な伝送条件を考慮して各移動局装置の伝送レートを決定するようにし、これにより高効率の無線データ通信を可能にする。【解決手段】移動通信端末ＭＳ１，ＭＳ２において、スロットごとに、通信コンテンツ種別の判定結果、データ伝送量の推定値及びＣ／Ｉの測定値をもとに要求すべきデータレートＹを算出し、この算出した要求データレートＹを含めたＤＲＣ（ｔ）を基地局ＢＳ１〜ＢＳｎに通知する。そして基地局ＢＳ１〜ＢＳｎにおいて、スロットごとに、移動通信端末ＭＳ１，ＭＳ２から通知されたＤＲＣ（ｔ）と、当該端末へ過去の一定期間に伝送したデータのデータレートの平均値Ｒ（ｔ）とからＤＲＣ（ｔ）／Ｒ（ｔ）を計算し、このＤＲＣ（ｔ）／Ｒ（ｔ）が最も大きい移動通信端末に対し送信タイミングが最も早いスロットを割り当てる。【選択図】　　図２
2004080306.tif 000002
【特許請求の範囲】
【請求項１】
基地局装置と複数の移動局装置との間で、多重化された複数の伝送チャネルを選択的に使用して無線データ通信を行う無線データ通信システムの伝送レート決定方法であって、
前記移動局装置ごとに通信コンテンツの種類及びデータ伝送量の少なくとも一方を判定する過程と、
前記移動局装置ごとにその伝送チャネルの受信品質を測定する過程と、
前記通信コンテンツの種類又はデータ伝送量の判定結果と、前記受信品質の測定値とに基づいて、前記移動局装置ごとの伝送レートを決定する過程と、
前記決定された伝送レートに基づいて各移動局装置に対する伝送チャネルの割り当てを行う過程とを具備したことを特徴とする無線データ通信システムの伝送レート決定方法。
【請求項２】
基地局装置と複数の移動局装置との間で、多重化された複数の伝送チャネルを選択的に使用して無線データ通信を行うと共に、この無線データ通信に先立ち前記基地局装置が、複数の移動局装置から要求される伝送レートに基づいて要求元の移動局装置に対し伝送チャネルの割り当てを行う機能を有する無線データ通信システムの移動局装置であって、
自装置が使用しようとする通信コンテンツの種類及びデータ伝送量の少なくとも一方を判定する手段と、
自装置が使用する伝送チャネルの受信品質を測定する手段と、
前記通信コンテンツの種類又はデータ伝送量の判定結果と、前記受信品質の測定値とに基づいて、要求すべき伝送レートを決定する手段と、
前記決定された伝送レートの要求を前記基地局装置に送信し、当該基地局装置から伝送チャネルの割り当てを受ける手段と、
前記割り当てられた伝送チャネルを使用して基地局装置との間で無線データを伝送する手段とを具備したことを特徴とする無線データ通信システムの移動局装置。
【請求項３】
前記要求すべき伝送レートを決定する手段は、通信コンテンツの種類とデータ伝送量の少なくとも一方、及び受信品質と、伝送レートとの対応関係を表す情報を記憶したメモリテーブルを有し、前記通信コンテンツの種類又はデータ伝送量の判定結果と前記受信品質の測定値に対応する伝送レートを前記メモリテーブルから読み出すことを特徴とする請求項２記載の無線データ通信システムの移動局装置。
【請求項４】
前記要求すべき伝送レートを決定する手段は、通信コンテンツの種類及びデータ伝送量の少なくとも一方、及び受信品質をそれぞれ関数として、伝送レートを算出するための演算式を備え、この演算式により、前記通信コンテンツの種類又はデータ伝送量の判定結果、及び前記受信品質の測定値に対応する伝送レートを算出することを特徴とする請求項２記載の無線データ通信システムの移動局装置。
【請求項５】
基地局装置と複数の移動局装置との間で、多重化された複数の伝送チャネルを選択的に使用して無線データ通信を行うと共に、この無線データ通信に先立ち前記基地局装置が、各移動局装置から通知される伝送条件を表す情報に基づいて前記複数の移動局装置に割り当てるべき伝送レートをそれぞれ算出し、この算出した伝送レートに基づいて各移動局装置と基地局装置との間で無線データ通信を行う無線データ通信システムの前記移動局装置であって、
自装置が使用しようとする通信コンテンツの種類及びデータ伝送量の少なくとも一方を判定する手段と、
自装置が使用する伝送チャネルの受信品質を測定する手段と、
前記通信コンテンツの種類又はデータ伝送量の判定結果と、前記受信品質の測定値とを、前記伝送条件を表す情報として前記基地局装置に通知する手段と、
前記伝送条件を表す情報の通知に応じて前記基地局装置により算出された伝送レートを使用して、当該基地局装置との間で無線データを伝送する手段とを具備したことを特徴とする無線データ通信システムの移動局装置。
【請求項６】
基地局装置と複数の移動局装置との間で、多重化された複数の伝送チャネルを選択的に使用して無線データ通信を行うと共に、この無線データ通信に先立ち前記各移動局装置が、通信コンテンツの種類及びデータ伝送量の少なくとも一方と、受信チャネルにおいて測定した受信品質とに基づいて、要求すべき伝送レートを決定して前記基地局装置に通知する機能を有した無線データ通信システムの基地局装置であって、
前記複数の移動局装置からそれぞれ要求される伝送レートに基づいて、要求元の各移動局装置に対し伝送チャネルを割り当てる手段と、
前記割り当てた伝送チャネルを使用して前記複数の移動局装置との間で無線データを伝送する手段とを具備したことを特徴とする無線データ通信システムの基地局装置。
【請求項７】
基地局装置と複数の移動局装置との間で、多重化された複数の伝送チャネルを選択的に使用して無線データ通信を行うと共に、この無線データ通信に先立ち前記各移動局装置が、通信コンテンツの種類及びデータ伝送量の少なくとも一方と、受信チャネルの受信品質の測定値とを、伝送条件を表す情報として前記基地局装置に通知する機能を有した無線データ通信システムの前記基地局装置であって、
前記複数の移動局装置からそれぞれ通知される伝送条件を表す情報に基づいて、各移動局装置の伝送レートを決定する手段と、
前記決定された伝送レートに基づいて、前記複数の移動局装置に対し伝送チャネルを割り当てる手段と、
前記割り当てた伝送チャネルを使用して前記複数の移動局装置との間で無線データを伝送する手段とを具備したことを特徴とする無線データ通信システムの基地局装置。
【請求項８】
前記伝送レートを決定する手段は、通信コンテンツの種類及びデータ伝送量の少なくとも一方、及び受信品質と、伝送レートとの対応関係を表す情報を記憶したメモリテーブルを有し、移動局装置から通知された通信コンテンツの種類及びデータ伝送量の少なくとも一方、及び受信品質の測定値に対応する伝送レートを前記メモリテーブルから読み出すことを特徴とする請求項７記載の無線データ通信システムの基地局装置。
【請求項９】
前記伝送レートを決定する手段は、通信コンテンツの種類及びデータ伝送量の少なくとも一方、及び受信品質をそれぞれ関数として、伝送レートを算出するための演算式を備え、この演算式により、前記移動局装置から通知された通信コンテンツの種類及びデータ伝送量の少なくとも一方、及び受信品質の測定値に対応する伝送レートを算出することを特徴とする請求項７記載の無線データ通信システムの基地局装置。
【発明の詳細な説明】
【０００１】
【発明の属する技術分野】
この発明は、無線アクセス方式としてＴＤＭＡ（Ｔｉｍｅ　Ｄｉｖｉｓｉｏｎ　Ｍｕｌｔｉｐｌｅ　Ａｃｃｅｓｓ）方式を採用し、かつユーザデータと制御データとの多重方式としてＣＤＭ（Ｃｏｄｅ　Ｄｉｖｉｓｉｏｎ　Ｍｕｌｔｉｐｌｅｘ）方式を採用した無線データ通信システムのデータレート決定方法と、このシステムの移動局装置及び基地局装置に関する。
【０００２】
【従来の技術】
近年、移動通信システムは、ＣＤＭＡ（Ｃｏｄｅ　Ｄｉｖｉｓｉｏｎ　Ｍｕｌｔｉｐｌｅ　Ａｃｃｅｓｓ）方式を採用したシステムが主流になっている。ＣＤＭＡ方式は、（１）スペクトラム拡散技術を用いることにより通信の秘匿性に優れる、（２）ＲＡＫＥ受信方式を用いることによりフェージング等の通信環境の変化に対し通信品質を高く維持できる、（３）通信の瞬断が少なく安定したハンドオーバを実現できる、（４）一つの周波数を複数のユーザが共用するため周波数利用効率が高い、等の利点を有する。
【０００３】
そして、最近ではこのＣＤＭＡ方式を使用した高速データ伝送システムが検討されている。例えば３ＧＰＰ２におけるＩＳ−８５６では、ｃｄｍａ２０００をベースに用途をデータ通信に特化した無線通信規格が検討されている。ＩＳ−８５６は、フォワードリンクで最大２．４Ｍｂｐｓのデータ伝送速度を実現するシステムである。また３ＧＰＰのＷ−ＣＤＭＡにおいても、最大２Ｍｂｐｓの無線データ通信規格が検討されている。
【０００４】
ところで、ＣＤＭＡ方式は電波干渉を許容しているため、複数のユーザが同時に通信を行うと干渉が増加してしまい、実効的な通信速度が低下する。この問題を解決するために、上記検討中の無線データ通信規格では無線アクセス方式としてＴＤＭＡ（Ｔｉｍｅ　Ｄｉｖｉｓｉｏｎ　Ｍｕｌｔｉｐｌｅ　Ａｃｃｅｓｓ）方式を導入し、通信を要求するユーザにスロットを独占的に割り当てることが提案されている。このようなシステムであれば、一つのスロットは１ユーザにより専有される。このため、ユーザは他のユーザからの電波干渉を受けずに、常に最大の通信速度で無線データ通信を行うことが可能となる。
【０００５】
一方、スロットを１ユーザに専用に割り当てると、このユーザが通信を行っている期間に他のユーザは無線データ通信を行うことができない。このため、複数のユーザから通信要求が発生してこれらの通信要求が時間的に競合した場合に、通信要求を発した複数のユーザの通信順位を決定する必要性がある。この通信順位を決定するアルゴリズムをスケジューリング・アルゴリズムと呼ぶ。
【０００６】
スケジューリング・アルゴリズムとしては、以下のアルゴリズムが知られている。
（１）Ｃ／Ｉ値スケジューリング・アルゴリズム
基地局において、各移動通信端末が測定し報告してきたＰｉｌｏｔ　Ｃ／Ｉ（Ｃａｒｒｉｅｒ　ｔｏ　Ｉｎｔｅｒｆｅｒｅｎｃｅ　ａｎｄ　ｎｏｉｓｅ　ｐｏｗｅｒ　ｒａｔｉｏ）値を比較し、このＰｉｌｏｔ　Ｃ／Ｉ値が高い順に移動通信端末に対しスロットを割り当てる。
【０００７】
（２）Ｒｏｕｎｄ　Ｒｏｂｉｎスケジューリング・アルゴリズム
基地局において、複数の移動通信端末から通信要求があった場合に、要求の早い順にスロットを割り当てる。
【０００８】
（３）Ｐｒｏｐｏｒｔｉｏｎａｌ　Ｆａｉｒスケジューリング・アルゴリズム
移動通信端末で、受信スロットの直前にＰｉｌｏｔ　Ｃ／Ｉ値を測定してデータレートを決定し、この決定されたデータレートを表す制御データ（ＤＲＣ：Ｄａｔａ　Ｒａｔｅ　Ｃｏｎｔｒｏｌ）を基地局に要求する。これに対し基地局は、端末ごとに、要求されたデータレートＤＲＣ（ｔ）と、当該端末に対し過去の一定期間に送信したデータのデータレート平均値Ｒ（ｔ）とから、ＤＲＣ（ｔ）／Ｒ（ｔ）をそれぞれ計算する。そして、この算出されたＤＲＣ（ｔ）／Ｒ（ｔ）の値が大きい端末に対し優先的にスロットを割り当てる（例えば非特許文献１又は２参照）。
【０００９】
【非特許文献１】
Ａ．Ｊａｌａｌｉ，　Ｒ．Ｐａｄｏｖａｎｉ，　Ｒ．Ｐａｋａｊｉ，　“Ｄａｔａ　Ｔｈｒｏｕｇｈｐｕｔ　ｏｆ　ＣＤＭＡ−ＨＤＲ　ａ　Ｈｉｇｈ　Ｅｆｆｉｃｉｅｎｃｙ−Ｈｉｇｈ　Ｄａｔａ　Ｒａｔｅ　Ｐｅｒｓｏｎａｌ　Ｃｏｍｍｕｎｉｃａｔｉｏｎ　Ｗｉｒｅｌｅｓｓ　Ｓｙｓｔｅｍ”　ＶＴＣ２０００　Ｔｏｋｙｏ。
【００１０】
【非特許文献２】
宮崎、他：「東京都市環境における１．２５ＭＨｚ帯域幅高速パケット無線システムのセクタスループットの測定と評価」電子通信学会春期全国大会２００１／０３。
【００１１】
【発明が解決しようとする課題】
ところが、これらのスケジューリング・アルゴリズムにはそれぞれ以下のような改善すべき課題がある。
【００１２】
（１）Ｃ／Ｉ値の低い移動通信端末に対しては無条件に低速のデータレートが割り当てられるため、この移動通信端末が例えばテレビジョン電話通信のような高速データ通信を必要としていても高いデータレートが割り当てられない。
【００１３】
（２）移動通信端末に対し通信要求順にスロットが割り当てられるため、公平なスロット割り当てを行うことができる。しかし、例えば電子メールを送信する場合のように、データ伝送量が比較的少なくかつリアルタイム性を要求されないデータ通信を行う場合にも、常に要求順に高速のデータレートが割り当てられる。このため、リアルタイム通信を要求する移動通信端末が他に存在する場合に、この移動通信端末へのスロット割り当てタイミングが遅くなり、伝送遅延の増加を生じる。
【００１４】
（３）移動通信端末が要求するデータレートだけでなく、当該移動通信端末が過去の一定期間に伝送したデータ伝送量も考慮して、スロットの割り当てが行われる。このため、要求するデータレートが低い移動通信端末に対しても公平にスロットを割り当てることが可能となる。しかしながら、移動通信端末から要求されるデータレートはＣ／Ｉ値により一元的に決定される。このため、前記（１）の場合と同様、移動通信端末がＣ／Ｉ値の低い状況下において高速のデータ通信を行いたい場合でも、高いデータレートによる通信は行えない。
【００１５】
この発明は上記事情に着目してなされたもので、その目的とするところは、受信品質だけでなくさらに多様な伝送条件を考慮して移動局装置の伝送レートを決定するようにし、これによりシステムの実状にあった高効率の無線データ通信を実現可能とした無線データ通信システムの伝送レート決定方法、移動局装置及び基地局装置を提供することにある。
【００１６】
【課題を解決するための手段】
上記目的を達成するためにこの発明に係わる無線データ通信システムの伝送レート決定方法は、移動局装置ごとにその受信チャネルにおける受信品質を測定すると共に、移動局装置ごとに使用する通信コンテンツの種類及びデータ伝送量の少なくとも一方を判定する。そして、上記受信品質の測定値と、上記通信コンテンツの種類又はデータ伝送量の判定結果とに基づいて移動局装置ごとの伝送レートを決定し、この決定された伝送レートに基づいて移動局装置に対する伝送チャネルの割り当てを行うようにしたものである。
【００１７】
したがってこの発明によれば、受信チャネルの受信品質に加え、使用する通信コンテンツの種類又はデータ伝送量を考慮して移動局装置の伝送レートが決定される。このため、例えば移動局装置が他から大きな干渉を受けている状態であっても、テレビジョン電話通信のような高速データ通信を要求している場合には、当該移動局装置に対し高い伝送レートによる通信を可能にするチャネル割り当てがなされる。したがって、リアルタイム性を損なうことなくテレビジョン電話通信が可能となる。
【００１８】
また反対に、移動局装置が例えば電子メールを受信する場合のようにデータ伝送量が比較的少なくかつリアルタイム性を要求されない無線データ通信を行う場合には、たとえ干渉が少なく受信品質が良好な状態であっても、低い伝送レートが選択されてそれに応じたチャネル割り当てがなされる。このため、通信を要求している移動局装置が他に存在し、かつこの移動局装置が例えば電話通信のようなリアルタイム性が要求される通信を要求している場合には、当該移動局装置は高い伝送レートで通信を行うことができる。
【００１９】
すなわちこの発明によれば、受信品質に加えて通信コンテンツの種類又はデータ伝送量も考慮した上で各移動局装置の伝送レートが決定される。このため、無線通信環境だけでなく移動局装置ユーザの使用条件が反映されたより適切な伝送レートで無線データ通信を行うことが可能となる。
【００２０】
上記伝送レートを決定する手段として、次の二つの構成が考えられる。
第１の構成は、移動局装置において、使用する通信コンテンツの種類とデータ伝送量の少なくとも一方を判定すると共に受信スロットの受信品質を測定して、これらの判定結果及び測定値をもとに伝送レートを求める。そして、この伝送レートを基地局装置に通知して、移動通信端末に対する伝送チャネルの割り当てを行わせるものである。
【００２１】
第２の構成は、移動局装置において、通信コンテンツの種類及びデータ伝送量の少なくとも一方を判定すると共に受信チャネルにおける受信品質を測定し、これらを伝送条件として基地局装置に通知する。そして、基地局装置において、上記移動局装置から通知された伝送条件に基づいて当該移動局装置の伝送レートを求め、この伝送レートに基づいて当該移動局装置に対しチャネルの割り当てを行うものである。
【００２２】
第１の構成によれば、伝送レートの決定が移動局装置で行われる。このため、基地局装置は移動局装置から要求された伝送レートをもとにチャネル割り当てを行う機能のみを備えればよく、これにより既存の基地局装置の機能を何ら変更することなく、この発明を実施できる利点がある。
【００２３】
第２の構成によれば、移動局装置は受信品質の測定値と通信コンテンツの種類又はデータ伝送量の判定結果を基地局装置に通知するだけでよい。このため、移動局装置の処理負担を軽減することができる。
【００２４】
また、移動局装置又は基地局装置において伝送レートを求めるための具体的な構成としては、次の二つが考えられる。
【００２５】
第１の構成は、通信コンテンツの種類又はデータ伝送量と、受信品質と、伝送レートとの対応関係を表す情報を記憶したメモリテーブルを予め備え、通信コンテンツの種類又はデータ伝送量、及び受信品質の測定値に対応する伝送レートを上記メモリテーブルから読み出すものである。
【００２６】
第２の構成は、通信コンテンツの種類又はデータ伝送量、及び受信品質をそれぞれ関数として伝送レートを算出するための演算式を備え、この演算式により、通信コンテンツの種類又はデータ伝送量の判定結果、及び受信品質の測定値に対応する伝送レートを算出するものである。
【００２７】
第１の構成によれば、予めメモリテーブルを用意しておくだけで簡単かつ短時間に伝送レートを決定できる。
これに対し第２の構成によれば、伝送レートが演算により算出されるので、大容量のメモリテーブルを不要にできる利点がある。
【００２８】
【発明の実施の形態】
（第１の実施形態）
図１は、この発明に係わる無線データ通信システムの第１の実施形態を示す概略構成図である。
【００２９】
当該システムのサービスエリアには、複数の基地局ＢＳ１，ＢＳ２，…，ＢＳｎが分散配置されている。これらの基地局ＢＳ１〜ＢＳｎはそれぞれセル又はセクタと呼ばれる一つ又は複数の無線通信エリアを形成する。また、基地局ＢＳ１〜ＢＳｎはそれぞれルータＲＴ１〜ＲＴｎを介してインターネットＩＮＷに接続される。
【００３０】
移動通信端末ＭＳ１，ＭＳ２は、上記無線通信エリア内において、当該無線通信エリアを形成する基地局（例えばＢＳ１）に対し無線チャネルを介して接続される。そして、この基地局ＢＳ１からさらにルータＲＴ１を介してインターネットＩＮＷのインターネット・サービス・プロバイダ（ＩＳＰ）のサーバＰＶ又は各種ウエブサーバに接続される。
【００３１】
上記移動通信端末ＭＳ１，ＭＳ２と基地局ＢＳ１〜ＢＳｎとの間の無線アクセス方式には、ＴＤＭＡ−ＦＤＤ（Ｔｉｍｅ　Ｄｉｖｉｓｉｏｎ　Ｍｕｌｔｉｐｌｅ　Ａｃｃｅｓｓ−Ｆｒｅｑｕｅｎｃｙ　Ｄｉｖｉｓｉｏｎ　Ｄｕｐｌｅｘ）方式が使用される。また、ユーザデータと制御データの多重方式には、ＣＤＭ（Ｃｏｄｅ　Ｄｉｖｉｓｉｏｎ　Ｍｕｌｔｉｐｌｅｘ）方式が使用される。
【００３２】
ところで、上記移動通信端末ＭＳ１，ＭＳ２は次のように構成される。図２はその機能構成を示すブロック図である。
同図において、マイクロホン４２から出力されたアナログオーディオ信号は、オーディオコーデック４０で符号化されてオーディオデータとなり、ＣＤＭ多重化処理部３０に入力される。また、カメラ（ＣＡＭ）５１から出力されたビデオ信号は、ビデオコーデック５０により符号化されてビデオデータとなり、ＣＤＭ多重化処理部３０に入力される。
【００３３】
ＣＤＭ多重化処理部３０は、４相複素拡散方式を使用して入力データの多重化処理を行う。すなわち、図７に示すように、入力されたオーディオデータ又はビデオデータと、制御部８０から出力される制御データとを、それぞれ異なる拡散符号によりスペクトラム拡散して合成し、これにより第１のＣＤＭ多重データを生成する。上記制御データは、基地局に対しデータレートを要求するためのＤＲＣ（Ｄａｔａ　Ｒａｔｅ　Ｃｏｎｔｒｏｌ）データからなる。また、ＣＤＭ多重化処理部３０は、パイロット信号やＲＲＩ（Ｒｅｖｅｒｓｅ　Ｒａｔｅ　Ｉｎｄｉｃａｔｏｒ）信号、応答信号（ＡＣＫ）等の制御信号を、それぞれ異なる拡散符号によりスペクトラム拡散して合成し、これにより第２のＣＤＭ多重データを生成する。そして、これら第１及び第２のＣＤＭ多重データをそれぞれＱ相及びＩ相として直交変調し、この変調された信号をＴＤＭＡ処理部２０へ出力する。
【００３４】
ＴＤＭＡ処理部２０は、上記ＣＤＭ多重化処理部３０から出力された変調出力信号を、制御部８０から指示された送信スロットに挿入してバースト信号を出力する。そして、このバースト信号を無線部１０に供給する。
【００３５】
無線部１０は、アンテナ共用器（ＤＵＰ）１２と、受信回路（ＲＸ）１３と、送信回路（ＴＸ）１５と、周波数シンセサイザ（ＳＹＮ）１４とを備えている。そして、上記ＴＤＭＡ処理部２０から出力されたバースト信号を、周波数シンセサイザ１４から発生される送信局部発振信号と送信回路１５で合成することにより送信周波数帯域の無線信号に周波数変換する。そして、この無線信号を所定の送信電力に増幅したのちアンテナ共用器１２を介してアンテナ１１に供給し、アンテナ１１からリバースリンクの無線信号として基地局ＢＳ１〜ＢＳｎに向け送信する。なお、上記周波数シンセサイザ１４から発生される送信局部発振信号の周波数は、制御部８０から出力される制御信号ＳＹＣによって指示される。
【００３６】
一方、基地局ＢＳ１〜ＢＳｎから送信されたフォワードリンクの無線信号は、アンテナ１１で受信されたのちアンテナ共用器１０２を介して受信回路１３に入力される。受信回路１３は、上記受信された無線信号を低雑音増幅器により増幅しさらに帯域フィルタにより不要な周波数成分を除去したのち、周波数シンセサイザ１４から出力された受信局部発振信号とミキシングして受信ベースバンド信号に周波数変換する。そして、この受信ベースバンド信号をＴＤＭＡ処理部２０に入力する。
【００３７】
ＴＤＭＡ処理部２０は、制御部８０からの指示に従い、上記受信ベースバンド信号のうち自端末に割り当てられた受信スロットの期間に受信されたバースト信号を抽出する。そして、この抽出されたバースト信号をＣＤＭ多重化処理部３０に入力する。
【００３８】
ＣＤＭ多重化処理部３０は、上記入力されたバースト信号を直交復調方式により復調すると共に拡散符号を使用してスペクトラム逆拡散を行い、これによりユーザデータと各種制御データとを分離する。分離されたデータのうち制御データは制御部８０に取り込まれる。一方ユーザデータは、その種類が音楽データ等のオーディオデータであればオーディオ符号復号部（以後オーディオコーデックと称する）４０に入力され、また静止画又は動画等のビデオデータであればビデオ符号復号部（以後ビデオコーデックと称する）５０に入力される。
【００３９】
オーディオコーデック４０は、上記入力されたオーディオデータを復号してアナログオーディオ信号を再生し、この再生したアナログオーディオ信号をスピーカ４１から出力させる。ビデオコーデック５０は、上記入力されたビデオデータを復号してディジタルビデオ信号を再生し、この再生したディジタルビデオ信号を制御部８０を介して入力表示制御部６０に入力する。入力表示制御部６０は、上記入力されたディジタルビデオ信号を液晶表示器（ＬＣＤ）６１に表示するための制御を実行する。
【００４０】
ところで、制御部８０はマイクロコンピュータを主制御部として備えたもので、この発明に係わる制御機能として、Ｃ／Ｉ測定機能８１と、通信コンテンツ種別・データ伝送量判定機能８２と、要求レート決定通知制御機能８３と、通信制御機能８４とを備えている。
【００４１】
Ｃ／Ｉ測定機能８１は、フォワードリンクのアイドルスロット期間において、パイロット信号のＣ／Ｉ（Ｃａｒｒｉｅｒ　ｔｏ　Ｉｎｔｅｒｆｅｒｅｎｃｅ　ａｎｄ　ｎｏｉｓｅ　ｐｏｗｅｒ　ｒａｔｉｏ）を検出する。そして、複数のタイミングで検出したＣ／Ｉ値の平均値を算出し、この平均値をＣ／Ｉ測定値とする。
【００４２】
通信コンテンツ種別・データ伝送量判定機能８２は、通信ごとにそのコンテンツの種別を判定すると共にそのデータ伝送量を推定する。判定対象の通信コンテンツ種別には、テレビジョン電話通信や、サーバからデータをダウンロードするための通信、電子メールの送受信、電子商取引のための通信等がある。
【００４３】
要求レート決定通知制御機能８３は、上記Ｃ／Ｉ測定機能８１により求められたＣ／Ｉ測定値と、通信コンテンツ種別・データ伝送量判定機能８２により判定された通信コンテンツ種別及びそのデータ伝送量とをそれぞれ関数ｆ（ｘ）、ｆ′（ｙ）、ｆ″（ｚ）として所定の演算を行い、これにより基地局ＢＳ１〜ＢＳｎに要求すべきデータレートを決定する。そして、この決定したデータレートを含むＤＲＣデータをＣＤＭ方式によりユーザデータに多重化し、基地局ＢＳ１〜ＢＳｎに送信する。
【００４４】
通信制御機能８４は、上記ＤＲＣデータにより基地局に要求したデータレートによる復調を準備し、このデータレートにより基地局ＢＳ１〜ＢＳｎから伝送されるデータを待ち受ける。そして、受信スロットごとにデータに先行して受信されるプリアンブルを自身のコードで復調することにより自己に割り当てられた受信スロットであるか否かを判定する。そして、自己に割り当てられた受信スロットであれば、当該スロットにより伝送されたデータを引き続き復調する。
【００４５】
なお、６２はキーボード等の入力部であり、この入力部６２の操作情報は入力表示制御部６０により入力データに変換されて制御部８０に入力される。また７０はＲＡＭやフラッシュメモリからなる記憶部であり、この記憶部７０にはアドレスブック、電子メール等の送受信データ、アプリケーション・プログラム、制御データ等が記憶される。
【００４６】
さらに９０は電源部である。この電源部９０は、リチウムイオン電池等の二次電池９１と、電源回路９２と、充電回路９３とから構成される。電源回路９２は、二次電池９１の出力電圧をもとに所定の動作電源電圧Ｖｃｃを生成して端末各部に供給する。充電回路９３は、図示しない商用電源から充電端子９４を介して供給される電圧をもとに上記二次電池９１を充電する。
【００４７】
一方、基地局ＢＳ１〜ＢＳｎは次のように構成される。図３はその機能構成を示すブロック図であり、１つの周波数に対応する構成のみを示している。
【００４８】
同図において、移動通信端末ＭＳ１，ＭＳ２からリバースリンクを介して到来した無線信号は、アンテナ１０１で受信されたのち無線部１００に入力される。無線部１００は、アンテナ共用器１０２と、受信回路１０３と、周波数シンセサイザ１０４と、送信回路１０５とを備えている。
【００４９】
受信回路１０３は、上記アンテナ１０１により受信された無線信号を低雑音増幅器により増幅しさらに帯域フィルタにより不要な周波数成分を除去したのち、周波数シンセサイザ１０４から出力された受信局部発振信号とミキシングして受信ベースバンド信号に周波数変換する。そして、この受信ベースバンド信号をＴＤＭＡ処理部２０に入力する。なお、上記周波数シンセサイザ１０４から発生される受信局部発振信号の周波数は、制御部６００から出力される制御信号ＳＹＣによって指示される。
【００５０】
ＴＤＭＡ処理部２００は、制御部６００からの指示に従い、上記受信ベースバンド信号をスロットごとに分離する。そして、この分離された各スロットの受信バースト信号をＣＤＭ多重化処理部３００に入力する。
【００５１】
ＣＤＭ多重化処理部３００は、上記入力された各スロットのバースト信号をそれぞれ直交復調方式により復調すると共に拡散符号を使用してスペクトラム逆拡散を行い、これによりユーザデータと各種制御データとを分離する。分離されたデータのうちＤＲＣデータ等の制御データは制御部６００に取り込まれる。一方ユーザデータは、網インタフェース部４００へ出力される。
【００５２】
網インタフェース部４００は、ルータＲＴ１〜ＲＴｎとの間でパケットデータの送受信を行うもので、上記ＣＤＭ多重化処理部３００から出力されたユーザデータをインターネット・サービス・プロバイダ（ＩＳＰ）のサーバＰＶか又はインターネットＩＮＷ上のウエブサーバへ転送する。また、網インタフェース部４００は、ＩＳＰのサーバＰＶ又はウエブサーバからルータＲＴ１〜ＲＴｎを介して伝送されたパケットデータを受信し、この受信されたデータをＣＤＭ多重化処理部３００へ転送する。
【００５３】
ＣＤＭ多重化処理部３００は、ユーザに対応するチャネルごとに、上記網インタフェース部４００により受信されたデータと、制御部６００から出力される制御データとを、それぞれ異なる拡散符号によりスペクトラム拡散して合成し、これにより第１のＣＤＭ多重データを生成する。上記制御データには、例えば移動通信端末ＭＳ１，ＭＳ２に対し通信データレートを通知するためのデータが含まれる。またＣＤＭ多重化処理部３００は、パイロット信号や報知信号等の制御信号を、それぞれ異なる拡散符号によりスペクトラム拡散して合成し、これにより第２のＣＤＭ多重データを生成する。そして、これら第１及び第２のＣＤＭ多重データをそれぞれＱ相及びＩ相として直交変調し、この変調された信号をＴＤＭＡ処理部２００へ出力する。
【００５４】
ＴＤＭＡ処理部２００は、上記ＣＤＭ多重化処理部３００から出力された変調信号を、制御部６００の指示に従いユーザごとに送信スロットに挿入し、これによりＴＤＭＡ信号を生成する。そして、このＴＤＭＡ信号を無線部１００に供給する。
【００５５】
無線部１００は、上記ＴＤＭＡ処理部２００から供給されたＴＤＭＡ信号を、周波数シンセサイザ１０４から発生される送信局部発振信号と送信回路１０５で合成することにより送信周波数帯域の無線信号に周波数変換する。そして、この無線信号を所定の送信電力に増幅したのちアンテナ共用器１０２を介してアンテナ１０１に供給し、アンテナ１０１からフォワードリンクの無線信号として移動通信端末ＭＳ１，ＭＳ２に向け送信する。
【００５６】
ところで、制御部６００はマイクロコンピュータを主制御部として備えたもので、この発明に係わる制御機能として要求レート受信制御機能６０１と、スケジューリング制御機能６０２とを備えている。
【００５７】
要求レート受信制御機能６０１は、複数の移動通信端末からリバースリンクにより送られるＤＲＣデータをスロットごとに収集する。
【００５８】
スケジューリング制御機能６０２は、上記要求レート受信制御機能６０１により収集されたＤＲＣデータをもとに、予め設定したスケジューリング・アルゴリズムに従い、要求元の移動通信端末に対するスロットの割り当てを決定する。なお、スケジューリング・アルゴリズムとしては例えばＰｒｏｐｏｒｔｉｏｎａｌ　Ｆａｉｒアルゴリズムを使用する。
【００５９】
なお、７００は記憶部であり、この記憶部７００には上記制御部６００が実行する種々アプリケーション・プログラムや、各移動通信端末ＭＳ１，ＭＳ２の管理データ等が格納される。
【００６０】
次に、以上のように構成された無線データ通信システムの動作を、移動通信端末ＭＳ２がインターネットＩＮＷ上のサーバとの間でデータ伝送を行う場合を例にとって説明する。
【００６１】
移動通信端末ＭＳ２は、図１に示すように基地局ＢＳ１を捕捉した状態で待ち受け動作を行っている。このとき移動通信端末ＭＳ２では、捕捉中の基地局ＢＳ１からの無線信号が受信されるが、周辺の基地局ＢＳ２，ＢＳｎからの無線信号も受信される。これら周辺の基地局ＢＳ２，ＢＳｎからの無線信号は干渉波となる。
【００６２】
移動通信端末ＭＳ２の制御部８０は、通信に先立ち図４に示すように、先ずステップ４ａで、使用する通信コンテンツの種別ｆ（ｘ）を判定する。例えば、テレビジョン電話通信であるか、ウエブサーバからのデータダウンロードであるか、さらには電子メールの送受信であるかを判定する。続いて制御部８０は、ステップ４ｂにより上記判定された通信コンテンツのデータ伝送量ｆ′（ｙ）を推定する。例えば、使用する通信コンテンツ種別がデータダウンロードであれば、ダウンロード予定のデータ伝送量を推定する。
【００６３】
次に制御部８０は、ステップ４ｃにより接続中の基地局ＢＳ１から送信されるフォワードリンクの受信スロットのＣ／Ｉ値ｆ″（ｚ）を測定する。このＣ／Ｉ値ｆ″（ｚ）は、例えば図６に示すように、１個の受信スロットＳＬＲ１の期間中に基地局（例えば図１ではＢＳ１）から複数回（例えば２回）到来するパイロット信号のＣ／Ｉをそれぞれ検出し、この検出されたＣ／Ｉの平均値を算出することにより得られる。
【００６４】
そうしてＣ／Ｉ値ｆ″（ｚ）が算出されると、制御部８０はステップ４ｄに移行し、ここで上記通信コンテンツ種別の判定結果ｆ（ｘ）、データ伝送量の推定値ｆ′（ｙ）、及びＣ／Ｉの測定値ｆ″（ｚ）をもとに、要求すべきデータレートＹを、
Ｙ＝ｆ（ｘ）＋ｆ′（ｙ）＋ｆ″（ｚ）
なる演算式を使用して算出する。したがって、Ｃ／Ｉの測定値ｆ″（ｚ）に加え、通信コンテンツ種別の判定結果ｆ（ｘ）とそのデータ伝送量の推定値ｆ′（ｙ）が考慮された要求データレートが求められる。
【００６５】
そして移動通信端末ＭＳ２は、上記算出された要求データレートを含んだＤＲＣデータを、ステップ４ｅにより図６に示すようにリバースリンクの送信スロットＳＬＴ２に挿入して基地局ＢＳ１へ向け送信する。このＤＲＣデータは、図７に示すようにＣＤＭ方式によりユーザデータに多重化されて送信される。
【００６６】
これに対し基地局ＢＳ１は、図５に示すようにステップ５ａにおいて、リバースリンクのスロットごとに、複数の移動通信端末からのＤＲＣデータの到来を監視している。そして、移動通信端末ＭＳ２から到来した無線信号にＤＲＣデータが含まれていたとすると、ステップ５ｂでこのＤＲＣデータを抽出して保存する。また、同時に他の移動通信端末ＭＳ１からＤＲＣデータが到来した場合にも、これらのＤＲＣデータをそれぞれ受信スロットから抽出して保存する。
【００６７】
次に基地局ＢＳ１は、上記ＤＲＣデータを送信した移動通信端末に対するスロットの割り当て処理を行う。この割り当て処理は、ＤＲＣデータを送信した移動通信端末が１つの場合と、ＤＲＣデータを送信した移動通信端末が複数の場合、つまり複数の移動通信端末からのデータレート要求が競合した場合とで異なる。
【００６８】
先ずＤＲＣデータを送信した移動通信端末が１つの場合には、当該移動通信端末に対しＤＲＣデータにより要求されたデータレートに対応するスロットが無条件に割り当てられる。したがって、当該移動通信端末にはこの割り当てられたスロットを使用して基地局からデータがダウンロードされる。
【００６９】
一方、複数の移動通信端末からのデータレート要求が競合した場合には、予め定めてあるスケジューリング・アルゴリズム、例えばＰｒｏｐｏｒｔｉｏｎａｌ　Ｆａｉｒアルゴリズムに従い、次のようにスケジューリング処理が行われる。
【００７０】
すなわち、先ずステップ５ｃにおいて、ＤＲＣデータを送信した複数の移動通信端末の各々について、要求されたＤＲＣ（ｔ）と、当該端末に対し過去の一定期間に送信したデータのデータレート平均値Ｒ（ｔ）とから、ＤＲＣ（ｔ）／Ｒ（ｔ）が計算される。そしてステップ５ｄにより、上記算出されたＤＲＣ（ｔ）／Ｒ（ｔ）が比較され、値が最も大きい移動通信端末の通信に対し送信タイミングが最も早いスロットが割り当てられる。例えば、移動通信端末ＭＳ２のＤＲＣ（ｔ）／Ｒ（ｔ）の値が最も大きければ、この移動通信端末ＭＳ２の通信に対し図６に示すスロットＳＬＲ４が割り当てられる。そして基地局ＢＳ１〜ＢＳｎは、ステップ５ｅにおいて、上記割り当てたスロットＳＬＲ４を使用して移動通信端末ＭＳ２宛てのデータを送信する。
【００７１】
一方、移動通信端末ＭＳ２は、上記ＤＲＣデータの送信を終了すると、ステップ４ｆにより、基地局ＢＳ１に要求したデータレートによる復調を準備し、このデータレートにより基地局ＢＳ１から伝送されるデータを待ち受ける。そして、受信スロットごとにデータに先行して受信されるプリアンブルを自身のコードで復調することにより、自己に割り当てられた受信スロットであるか否かを判定する。そして、自己に割り当てられた受信スロットであれば、ステップ４ｇにより、当該スロットにより伝送されたデータを復調する。
【００７２】
以後同様に移動通信端末ＭＳ１，ＭＳ２では、スロットごとに、通信コンテンツ種別の判定結果ｆ（ｘ）、データ伝送量の推定値ｆ′（ｙ）、及びＣ／Ｉの測定値ｆ″（ｚ）をもとに要求すべきデータレートＹが算出され、この算出された要求データレートＹを含めたＤＲＣ（ｔ）が基地局ＢＳ１〜ＢＳｎに通知される。そして基地局ＢＳ１〜ＢＳｎでは、スロットごとに、移動通信端末ＭＳ１，ＭＳ２から通知されたＤＲＣ　（ｔ）と、当該端末へ過去の一定期間に伝送したデータのデータレートの平均値Ｒ（ｔ）とからＤＲＣ（ｔ）／Ｒ（ｔ）が計算され、このＤＲＣ（ｔ）／Ｒ（ｔ）が最も大きい移動通信端末に対し送信タイミングが最も早いスロットが割り当てられる。
【００７３】
したがって第１の実施形態によれば、Ｃ／Ｉ測定値だけでなく通信コンテンツの種類及びデータ伝送量を考慮した上で移動通信端末のデータレートが決定される。このため、例えば移動通信端末ＭＳ２が、テレビジョン電話通信のような高速データ通信を要求している場合には、他の基地局ＢＳ２，ＢＳｎから比較的大きな干渉を受けている状態であっても、当該移動通信端末ＭＳ２に対し高い伝送レートによる通信を可能にするべくスロットが割り当てられる。したがって、リアルタイム性を損なうことなくテレビジョン電話通信が可能となる。
【００７４】
反対に、移動通信端末ＭＳ２が例えば電子メールを受信する場合のようにデータ伝送量が比較的少なくかつリアルタイム性を要求されない無線データ通信を行う場合には、たとえ干渉が少なく受信品質が良好な状態であっても、低い伝送レートが選択されてそれに応じたスロット割り当てがなされる。このため、通信を要求している移動通信端末が他に存在し、かつこの移動通信端末が例えば電話通信のようなリアルタイム性が要求される通信を要求している場合には、当該移動通信端末は高い伝送レートで通信を行うことができる。
【００７５】
またこの実施形態では、データレートを移動通信端末ＭＳ２において算出して、この算出したデータレートを含めたＤＲＣデータを基地局ＢＳ１に通知し、このＤＲＣデータをもとにスケジューリング処理を行って移動通信端末ＭＳ２に対しスロットを割り当てるようにしている。すなわち、データレートの決定が移動通信端末ＭＳ２自身で行われる。このため、基地局ＢＳ１は移動通信端末ＭＳ２から要求されたデータレートをもとにスケジューリングを行うだけでよく、既存の機能を何ら変更することなくこの発明を実現することができる。
【００７６】
さらに、通信コンテンツの種類とそのデータ伝送量、及びＣ／Ｉ値をそれぞれ関数としてデータレートを算出するための演算式を備え、この演算式によりデータレートを算出するようにしている。このため、大容量のメモリテーブルを設けることなくデータレートを決定することができる。
【００７７】
（第２の実施形態）
この発明の第２の実施形態は、通信コンテンツの種類とそのデータ伝送量の判定結果、及びＣ／Ｉ測定値を、移動通信端末から基地局に通知する。そして基地局において、上記通知された通信コンテンツの種類、そのデータ伝送量及びＣ／Ｉ測定値をもとに演算を行ってデータレートを算出し、この算出したデータレートをもとにスケジューリングを行うようにしたものである。
【００７８】
図９はこの発明の第２の実施形態に係わる移動通信端末の制御手順と制御内容を示すフローチャート、図１０は基地局の制御手順と制御内容を示すフローチャートである。なお、移動通信端末及び基地局の構成については前記第１の実施形態とほぼ同一なので説明を省略する。
【００７９】
移動通信端末ＭＳ２の制御部８０は、通信に先立ち図９に示すように、先ずステップ９ａで、使用する通信コンテンツの種別ｘを判定する。例えば、テレビジョン電話通信であるか、ウエブサーバからのデータダウンロードであるか、さらには電子メールの送受信であるかを判定する。続いて制御部８０は、ステップ９ｂにより、上記判定された通信コンテンツのデータ伝送量ｙを推定する。例えば、使用する通信コンテンツ種別がデータダウンロードであれば、ダウンロード予定のデータ伝送量を推定する。
【００８０】
次に制御部８０は、ステップ９ｃにより接続中の基地局ＢＳ１から送信されるフォワードリンクの受信スロットのＣ／Ｉ値ｚを測定する。このＣ／Ｉ値ｚは、例えば図６に示すように、１個の受信スロットＳＬＲ１の期間中に基地局（例えば図１ではＢＳ１）から複数回（例えば２回）到来するパイロット信号のＣ／Ｉをそれぞれ検出し、この検出されたＣ／Ｉの平均値を算出することにより得られる。
【００８１】
そうしてＣ／Ｉ値ｚが算出されると、制御部８０は続いてステップ９ｄに移行し、ここで上記通信コンテンツ種別の判定結果ｘ、データ伝送量の推定値ｙ、及びＣ／Ｉの測定値ｚをデータレート設定要求に含める。そして、このデータレート設定要求をリバースリンクの送信スロットに挿入して基地局ＢＳ１へ送信する。このデータレート設定要求は、ＣＤＭ方式によりユーザデータに多重化されて送信される。
【００８２】
一方、基地局ＢＳ１は、図１０に示すようにステップ１０ａにおいて、リバースリンクのスロットごとに、複数の移動通信端末からのデータレート設定要求の到来を監視している。そして、移動通信端末ＭＳ２から到来した無線信号にデータレート設定要求が含まれていたとすると、ステップ１０ｂでこのデータレート設定要求を抽出して保存する。また、同時に他の移動通信端末ＭＳ１からデータレート設定要求が到来した場合にも、これらのデータレート設定要求をそれぞれ受信スロットから抽出して保存する。
【００８３】
次に基地局ＢＳ１は、ステップ１０ｄに移行し、ここで上記通信コンテンツ種別の判定結果ｘ、データ伝送量の推定値ｙ、及びＣ／Ｉの測定値ｚをそれぞれ関数として、データレートを算出するための下記の演算を実行する。
Ｙ＝ｆ（ｘ）＋ｆ′（ｙ）＋ｆ″（ｚ）
したがって、Ｃ／Ｉの測定値ｚに加え、通信コンテンツ種別の判定結果ｘとそのデータ伝送量の推定値ｙが考慮されたデータレートが算出される。そして、この算出されたデータレートＹを、ステップ１０ｄによりフォワードリンクのスロットを使用して移動通信端末ＭＳ２に返送する。
【００８４】
次に基地局ＢＳ１は、上記データレート設定要求を送信した複数の移動通信端末ＭＳ１，ＭＳ２の各々について、ステップ１０ｅにより、上記算出されたデータレートＹ（ｔ）と、当該端末に対し過去の一定期間に送信したデータのデータレート平均値Ｒ（ｔ）とから、Ｙ（ｔ）／Ｒ（ｔ）を計算する。そしてステップ１０ｆにより、上記算出されたＹ（ｔ）／Ｒ（ｔ）が比較され、値が最も大きい移動通信端末の通信に対し送信タイミング最も早いスロットが割り当てられる。例えば、移動通信端末ＭＳ２のＹ（ｔ）／Ｒ（ｔ）の値が最も大きければ、この移動通信端末ＭＳ２の通信に対し図６に示すスロットＳＬＲ４が割り当てられる。そして基地局ＢＳ１は、ステップ１０ｇにおいて、上記割り当てたスロットＳＬＲ４を使用して移動通信端末ＭＳ２宛てのデータを送信する。
【００８５】
一方、移動通信端末ＭＳ２は、上記データレート設定要求の送信を終了すると、ステップ９ｅにより、基地局ＢＳ１からの通信データレートの通知を受信する。そして、ステップ９ｆにおいて、上記通知されたデータレートによる復調を準備し、このデータレートにより基地局ＢＳ１から伝送されるデータを待ち受ける。そして、受信スロットごとにデータに先行して受信されるプリアンブルを自身のコードで復調することにより、自己に割り当てられた受信スロットであるか否かを判定する。そして、自己に割り当てられた受信スロットであれば、当該スロットにより伝送されたデータを復調する。
【００８６】
以後同様に移動通信端末ＭＳ１，ＭＳ２では、スロットごとに、通信コンテンツ種別とそのデータ伝送量が判定されると共にＣ／Ｉが測定され、これらの判定結果及びＣ／Ｉ測定値が基地局ＢＳ１に通知される。そして、基地局ＢＳ１では、上記通知された通信コンテンツ種別とそのデータ伝送量の判定結果、及びＣ／Ｉ測定値をもとにデータレートＹが算出され、この算出されたデータレートＹに基づいてＰｒｏｐｏｒｔｉｏｎａｌ　Ｆａｉｒアルゴリズムに従いスケジューリング処理が実行される。
【００８７】
したがって第２の実施形態によれば、前記第１の実施形態と同様、Ｃ／Ｉ測定値だけでなく通信コンテンツの種類及びデータ伝送量を考慮した上で移動通信端末のデータレートを決定できる。このため、無線通信環境だけでなく移動通信端末ユーザの使用条件が反映された、より適切なデータレートで無線データ通信を行うことができる。
【００８８】
また第２の実施形態では、移動通信端末ＭＳ１，ＭＳ２から基地局ＢＳ１〜ＢＳｎへ、通信コンテンツの種類及びデータ伝送量の判定結果と、Ｃ／Ｉ測定値をそのまま通知する。そして、基地局ＢＳ１〜ＢＳｎにおいて、上記移動通信端末ＭＳ１，ＭＳ２から通知された通信コンテンツの種類及びデータ伝送量の判定結果と、Ｃ／Ｉ測定値に基づいて当該移動通信端末ＭＳ１，ＭＳ２のデータレートＹを算出し、この算出されたデータレートＹに基づいてスケジューリング処理を行うようにしている。
このため、移動通信端末ＭＳ１，ＭＳ２は、通信コンテンツの種類及びデータ伝送量の判定結果と、Ｃ／Ｉ測定値を基地局ＢＳ１〜ＢＳｎに通知するだけでよい。このため、移動通信端末ＭＳ１，ＭＳ２の制御部８０の処理負荷を軽減することができる。
【００８９】
（その他の実施形態）
前記第１及び第２の実施形態では、演算式を用いてデータレートを算出するようにした。しかし、これに限定されるものではなく、通信コンテンツの種類、データ伝送量、及びＣ／Ｉ値と、データレートとの対応関係を表す情報を記憶したメモリテーブルを予め設けておき、通信コンテンツの種類及びデータ伝送量の判定結果と、Ｃ／Ｉ測定値とに対応するデータレートを上記メモリテーブルから読み出すようにしてもよい。このように構成すると、予めメモリテーブルを用意しておくだけで簡単かつ短時間に伝送レートを決定することができる。
【００９０】
また、前記各実施形態では、Ｃ／Ｉ値と、通信コンテンツ種別と、データ伝送量をもとにデータレートを決定するようにした。しかし、それ以外に、Ｃ／Ｉ値と通信コンテンツ種別、或いはＣ／Ｉ値とデータ伝送量をもとにデータレートを決定してもよく、さらには上記Ｃ／Ｉ値、通信コンテンツ種別及びデータ伝送量に加えチャネルの空き状況も考慮してデータレートを決定するようにしてもよい。
【００９１】
さらに前記各実施形態では、スケジューリング・アルゴリズムとしてＰｒｏｐｏｒｔｉｏｎａｌ　Ｆａｉｒアルゴリズムを使用した場合を例にとって説明した。しかし、Ｃ／Ｉ値アルゴリズムやＲｏｕｎｄ　Ｒｏｂｉｎアルゴリズム等のその他のアルゴリズムを使用してもよい。
【００９２】
その他、無線データ通信システムの構成や無線伝送方式、移動局装置及び基地局装置の種類やその構成、データレートを決定するための制御手順と制御内容、スケジューリング・アルゴリズムの種類等についても、この発明の要旨を逸脱しない範囲で種々変形して実施できる。
【００９３】
【発明の効果】
以上詳述したようにこの発明では、無線データ通信に先立ち、移動局装置ごとにその受信チャネルに対する他からの干渉量を推定すると共に、移動局装置ごとに通信しようとする通信コンテンツの種類及びデータ伝送量の少なくとも一方を判定する。そして、上記干渉量の推定値と、上記通信コンテンツの種類又はデータ伝送量の判定結果とに基づいて、移動局装置ごとの伝送レートを決定し、この決定された伝送レートに基づいて各移動局装置に対するチャネルの割り当てを行うようにしている。
【００９４】
したがってこの発明によれば、複数の移動局装置から通信要求が競合して発生した場合に、干渉量に加え通信コンテンツの種類及びデータ伝送量の少なくとも一方を考慮して各移動局装置の伝送レートを決定することができ、これによりシステムの実状にあった高効率の無線データ通信を実現可能とした無線データ通信システムの伝送レート決定方法、移動局装置及び基地局装置を提供することができる。
【図面の簡単な説明】
【図１】この発明の第１の実施形態に係わる無線データ通信システムの概略構成図。
【図２】図１に示した移動通信端末の機能構成を示すブロック図。
【図３】図２に示した基地局の機能構成を示すブロック図。
【図４】移動通信端末によるデータレート要求制御の手順と内容を示すフローチャート。
【図５】基地局によるデータレート決定通知制御の手順と内容を示すフローチャート。
【図６】データレートの要求及び決定通知動作を説明するためのタイミング図。
【図７】リバースリンクにおけるデータ多重伝送方式を説明するためのデータ伝送フォーマット図。
【図８】データレートとＣ／Ｉとの関係の一例を示す図。
【図９】この発明の第２の実施形態に係わる移動通信端末によるデータレート要求制御の手順と内容を示すフローチャート。
【図１０】この発明の第２の実施形態に係わる基地局によるデータレート決定通知制御の手順と内容を示すフローチャート。
【符号の説明】
ＩＮＷ…インターネット
ＲＴ１〜ＲＴｎ…ルータ
ＢＳ１〜ＢＳｎ…基地局
ＭＳ１，ＭＳ２…移動通信端末
ＰＶ…インターネット・サービス・プロバイダのサーバ装置
１０…移動通信端末の無線部
１００…基地局の無線部
１１，１０１…アンテナ
１２，１０２…アンテナ共用器（ＤＵＰ）
１３，１０３…受信回路（ＲＸ）
１４，１０４…周波数シンセサイザ（ＳＹＮ）
１５，１０５…送信回路（ＴＸ）
２０，２００…ＴＤＭＡ処理部
３０，３００…ＣＤＭ多重化処理部
４０…オーディオコーデック
４００…網インタフェース部
４１…スピーカ
４２…マイクロホン
５０…ビデオコーデック
５１…カメラ
６０…入力表示制御部
６１…ＬＣＤ
６２…入力部
７０，５００…記憶部
８０，６００…制御部
８１…Ｃ／Ｉ測定機能
８２…通信コンテンツ種別・データ伝送量判定機能
８３…要求レート決定通知制御機能
８４…通信制御機能
９０…電源部
９１…二次電池
９２…電源回路
９３…充電回路
９４…充電端子
６０１…要求レート受信制御機能
６０２…通信レート決定通知制御機能
【図１】
2004080306.tif 000003
【図２】
2004080306.tif 000004
【図３】
2004080306.tif 000005
【図４】
2004080306.tif 000006
【図５】
2004080306.tif 000007
【図６】
2004080306.tif 000008
【図７】
2004080306.tif 000009
【図８】
2004080306.tif 000010
【図９】
2004080306.tif 000011
【図１０】
2004080306.tif 000012